(57)【要約】      （修正有）【課題】小物を収納できるホイッスル笛を用いた円錐体収納容器を提供する。【解決手段】ラッパ形状のホイッスル笛本体２に、円錐形の収納容器本体４が装着され、容器底部５には蓋を折り曲げ可能とするジョイント部６が設けられる。【選択図】図１
0003176552.tif 000002
【実用新案登録請求の範囲】
【請求項１】
課題を解決するための本考案にかかる構成は、まずホイッスル笛の形状本体は設けるべき付加されることに係る空洞円錐形容器体頭部を差し込み装着させるためと、また、笛の空気や音の出口がやはり同じく容器体と合致ジョイントが可能になるように拡がった円状ロットの空洞円錐（ラッパ形状）とされていることにより問題点を解決することを特徴とするホイッスル笛を用いた円錐体収納容器。
【請求項２】
上記項［請求項１］のホイッスル笛の音の、空気出口頂点形状は、円錐形空洞であり、内に別の設けるべき円錐形収納容器の頭部が一部分差し込み装着される、笛と一体化とすることが可能とする特徴の手段構造であるホイッスル笛を用いた円錐体収納容器。
【請求項３】
付加され設けるべき空洞円錐容器体の広い底部には容器の内部へ小物物品を納入や押し込みをした後、蓋が必要となるので、すぐに円形の蓋が折り曲げ可能とさすために容器体と一体化構成されている点を特徴とするホイッスル笛を用いた円錐体収納容器。
【考案の詳細な説明】
【技術分野】
【０００１】  本考案は、ホイッスル笛を用いた円錐体収納容器に関するものである。
【背景技術】
【０００２】  従来よりホイッスル笛や笛類といわれてきたものは、単に圧力、気体などを笛の吹き込み口に加圧をし弁などを振動共鳴させることにより音、音響を出して応援や合図といった目的用途に応じ利用されてきた。【０００３】  そこで問題視をした点は、ホイッスル笛や笛類といわれるものでは単体（笛）のみであり、利活用の範囲や付加価値は依然として従来パターンであるといえ、複合的な魅力効果が大いに利用者にとって不足をしているままであった。
［公開実用新案広報  平１−１１４５８３］
［実用新案登録第  ３１５６６１０］
【考案の概要】
【考案が解決しようとする課題】
【０００４】  本考案はホイッスル笛の改良に係るもので笛自体を鳴らすためだけのものでなく、ホイッスル笛の音響効果及び音、気体類の空気などの出口といえる部分に円錐の空洞容器体を設けて付加することにより、この円錐体形の容器体内部に、収納物品の収納・押し込みが可能になるようにし、合わせて笛類を有効活用させんとすることを目的課題とした特徴の考案である。【０００５】  また従来のホイッスル笛は合図や会場などでの応援、盛り上げといった事などに用いられているが、音声のみ発生さすだけで使用目的が限られている上に、直接的・単的に表現するならば、利用効果や製品価値が低い面が多いにあったと言え、この角度からも付加価値を高める目的で笛単体のみでなく、ここに円錐容器体を付加構成をさせ一体化の上で笛と容器両面の利用効果を兼ね別の新しい相乗効果用途とが合わせて可能になせることを課題とするものである。
【課題を解決するための手段】
【０００６】  前述した課題を解決するための本考案にかかる構成は、まずホイッスル笛の形状本体は設けるべき付加されることに係る空洞円錐形容器体頭部を差し込み装着させるためと、また、笛の空気や音の出口がやはり同じく容器体と合致ジョイントが可能になるように拡がった円状ロットの空洞円錐（ラッパ形状）とされていることにより問題点を解決することを特徴とする。【０００７】  次に、上記項［０００６］のホイッスル笛の音の、空気出口頂点形状は、円錐形空洞であり、内に別の設けるべき円錐形収納容器の頭部が一部分差し込み装着される、笛と一体化とすることが可能とする特徴の手段構造である。【０００８】  また、付加され設けるべき空洞円錐容器体の広い底部には容器の内部へ小物物品を納入や押し込みをした後、蓋が必要となるので、すぐに円形の蓋が折り曲げ可能とさすために容器体と一体化構成されている点を特徴とする。
【考案の効果】
【０００９】  前述の［課題を解決するための手段］により、本考案はホイッスル笛の音の拡散する部分口に空洞の収納容器体円錐形を設け一体化することにより、この容器体内部へ販売業者は小物グッズや小袋食品などといった楽しみを増加させれる収納が行えることが可能となり利用価値効果が高まる。【００１０】  また、ホイッスル笛の円錐体形収納容器は簡単に表現をするならばラッパ状であるようになっているがために、笛の音響効果が遠くまで達する相乗同時効果が合わせて可能となる。【００１１】  特に円錐容器体に用いる蓋はこの容器体と一体化をさせるように考案をしているがため、従来のように別に蓋になるものを必要とすることなく難点であった蓋に係る作業効率及び簡素化の上からこの考案構成方法は効果を発揮し、製造の際は蓋の一部をセロテープで止めるなどをして活用をする。【００１２】  さらに、このラッパ形状のホイッスル笛を野球のバット形の握り部分内部に応用取り付けをするならば、円錐容器体と異なりバット管の部分は形体上物品の収納容量は格段と向上するし、同時に音響も直進的に今までの笛類にない遠くまで届く応援グッズの笛付バットとなる活用も行えるものでもある。
【図面の簡単な説明】
【００１３】
【図１】  本考案の実施例を示す正面図である。
【考案を実施するための形態】
【００１４】  本考案を実施するには、用いるホイッスル笛（ラッパ形状）音声出口内側に設けるべき円錐容器体の頭部（頂点）を差し込み笛に密着取り付けをさせるのであるから、まずホイッスル笛の音や空気体出口である拡散口部分は当然に円形空洞の上ラッパ形状で、このことにより容器体と一体化構成が可能となる構成形態となる。
【００１５】  次に上述の差し込みをした円錐容器体の内部へ活用応用させるため、製造販売業者などは製品類を納入した上で、蓋部図面記号６番を折り曲げ、容器体底部を塞ぐ（フタをする）ことにより、次に蓋に対して簡素にセロテープなどで一部を止め内部の商品類など外部へ出なくすることが可能となる形態であるから、目的とする笛・容器体及び蓋とが一体化構成される実施形体構造で完成する考案である。
【実施例】
【００１６】  以下、図面に従って説明をする。
記号１はホイッスル笛の空気吹き込み口、記号２はホイッスル笛本体、記号３はテーパー形笛の音及び空気出口と（ラッパ形状）、これは取り付けるべき容器体頭部の差し込み口を合わせて兼ねた部分となる。【００１７】  記号４は製品を納入する容器本体、記号５は容器体底部及び製品の納入口、記号６は容器底部を蓋と一体化さすためのジョイント部でこの部分が有るので別に蓋類をすることなく素早く蓋セットが効率的に行えることとなるものであり、記号７は容器底部にピッタリと合う蓋部でこれをセロテープで止めることにより一体化が完成する。【００１８】  本考案の実施例は上述の如き構成構造からなるものであるから、従来の笛として使用されることは勿論であるが、容器体内部の利活用のみならず笛と容器体のラッパ形状からくる音量、響、音色の届く距離においても有効で、お楽しみ小物グッズ付の笛としては用いる遊戯のみに係らず非常時にも便益活躍するものである。
【符号の説明】
【００１９】１  ホイッスル笛の吹き込み口、        ２  ホイッスル笛本体、
３  ホイッスル笛の音及び空気出口、    ４  容器本体、
５  容器体底部及び製品納入口、
６  容器底部を蓋と一体化さすためのジョイント部、
７  容器体底部、
【図１】
0003176552.tif 000003
【手続補正書】
【提出日】平成24年4月2日(2012.4.2)
【手続補正１】
【補正対象書類名】実用新案登録請求の範囲
【補正対象項目名】全文
【補正方法】変更
【補正の内容】
【実用新案登録請求の範囲】
【請求項１】
ホイッスル笛の形状本体は設けるべき付加されることに係る空洞円錐形容器体頭部を差し込み装着させるためと、また、笛の空気や音の出口がやはり同じく容器体と合致ジョイントが可能になるように拡がった円状ロットの空洞円錐（ラッパ形状）とされていることを特徴とするホイッスル笛を用いた円錐体収納容器。
【請求項２】
上記ホイッスル笛の音の、空気出口頂点形状は、円錐形空洞であり、内に別に設けるべき円錐形収納容器の頭部が一部分差し込み装着される、笛と一体化とすることが可能とする特徴の手段構造である請求項１記載のホイッスル笛を用いた円錐体収納容器。
【請求項３】
付加され設けるべき空洞円錐容器体の広い底部には容器の内部へ小物物品を納入や押し込みをした後、蓋が必要となるので、すぐに円形の蓋が折り曲げ可能とさすために盞が容器体と一体化構成されている点を特徴とする請求項１記載のホイッスル笛を用いた円錐体収納容器。
【手続補正２】
【補正対象書類名】明細書
【補正対象項目名】００１１
【補正方法】変更
【補正の内容】
【００１１】  特に円錐容器体に用いる蓋はこの容器体と一体化をさせるように考案をしているがため、従来のように別に蓋になるものを必要とすることなく難点であった蓋に係る作業効率及び簡素化の上からこの考案構成方法は効果を発揮し、製造の際は蓋の一部をセロハンテープで止めるなどをして活用をする。
【手続補正３】
【補正対象書類名】明細書
【補正対象項目名】００１５
【補正方法】変更
【補正の内容】
【００１５】  次に上述の差し込みをした円錐容器体の内部へ活用応用させるため、製造販売業者などは製品類を納入した上で、蓋部図面記号６番を折り曲げ、容器体底部を塞ぐ（フタをする）ことにより、次に蓋に対して簡素にセロハンテープなどで一部を止め内部の商品類など外部へ出なくすることが可能となる形態であるから、目的とする笛・容器体及び蓋とが一体化構成される実施形体構造で完成する考案である。
【手続補正４】
【補正対象書類名】明細書
【補正対象項目名】００１７
【補正方法】変更
【補正の内容】
【００１７】  記号４は製品を納入する容器本体、記号５は容器体底部及び製品の納入口、記号６は容器底部を蓋と一体化さすためのジョイント部でこの部分が有るので別に蓋類をすることなく素早く蓋セットが効率的に行えることとなるものであり、記号７は容器底部にピッタリと合う蓋部でこれをセロハンテープで止めることにより一体化が完成する。